(57)【要約】【課題】視認性を保ちながら、多数のマークを表示させること。【解決手段】表示装置１００は、検出部１０１と、制御部１０２と、表示部１０３とを備える。検出部１０１は、使用している地図の縮尺を検出する。制御部１０２は、検出部１０１によって検出された縮尺に応じて、施設を示すマークの表示形式を異ならせる制御をおこなう。制御部１０２は、代表的には、検出部１０１によって検出された縮尺が所定値以下の場合に、縮尺に応じてマークの表示形式を異ならせる。表示部１０３は、制御部１０２の制御により地図画面を表示する。【選択図】図１
2012141642.tif 000002
【特許請求の範囲】
【請求項１】
地図を表示する表示手段と、
地図の縮尺変更を受け付ける入力手段と、
表示している地図の縮尺に応じて、表示される施設を示すマークの表示形式を異ならせる制御手段と、
を備えることを特徴とする表示装置。
【請求項２】
前記制御手段は、前記縮尺が所定値以下の場合に、前記縮尺に応じて前記マークの表示形式を異ならせることを特徴とする請求項１に記載の表示装置。
【請求項３】
前記制御手段は、前記縮尺に応じて、前記マークの大きさを変えることを特徴とする請求項１または２に記載の表示装置。
【請求項４】
前記制御手段は、前記縮尺に応じて、前記マークの少なくとも一部の色を変えることを特徴とする請求項１〜３のいずれか一つに記載の表示装置。
【請求項５】
前記制御手段は、前記縮尺に応じて、前記マークの形を異ならせることを特徴とする請求項１〜４のいずれか一つに記載の表示装置。
【請求項６】
地図を表示する表示装置の表示制御方法において、
地図の縮尺変更を受け付ける入力工程と、
表示している地図の前記縮尺に応じて、表示される施設を示すマークの表示形式を異ならせる制御工程と、
を含むことを特徴とする表示制御方法。
【請求項７】
請求項６に記載の表示制御方法をコンピュータに実行させることを特徴とする表示制御プログラム。
【請求項８】
請求項７に記載の表示制御プログラムを記録したことを特徴とするコンピュータに読み取り可能な記録媒体。
【発明の詳細な説明】
【技術分野】
【０００１】
この発明は、表示装置、表示制御方法、表示制御プログラム、および記録媒体に関する。
【背景技術】
【０００２】
従来、車両などの移動体には、ナビゲーション装置など、ディスプレイに地図画面を表示させる表示装置が搭載されている。このような表示装置では、単に地図画面のみを表示することのほかに、地図画面上に現在位置の情報を重ねて現在位置がどこに位置するのかを表示するようにしたり、地図画面上に現在位置の情報を重ねて目的地までの経路を表示するようにしたりすることがおこなわれている。
【０００３】
また、地図画面上には、道路、河川、施設といった地物などが表示される。特に、施設については、アイコンを用いてマーク表示することにより、簡単且つ明確に施設を表すことがおこなわれている。施設をマーク表示する場合、地図の縮尺が大きいとき（市街地表示などの拡大表示のとき）には、施設に対応する位置にマークを位置づけて表示することができるが、地図の縮尺が小さいとき（広域表示のとき）には、マークが乱立して表示されたり、マークが重なって表示されたりすることにより、マークの視認性や、地図画面の視認性を低下させてしまうことがある。
【０００４】
そこで、施設を示すマークに、予め施設のジャンルごとに優先度を設定しておき、地図の縮尺が大きいときや、マークが重なる場合には、優先度に応じて、マークを表示させるようにした技術が提案されている（たとえば、下記特許文献１参照。）。
【先行技術文献】
【特許文献】
【０００５】
【特許文献１】特開２００４−１６３５９２号公報
【発明の概要】
【発明が解決しようとする課題】
【０００６】
しかしながら、上述した特許文献１の技術は、優先度に応じてマークを表示できるものの、マークの表示形式が縮尺に対して常に一定であり、地図画面に対応したマークを表示することができず、縮尺によっては見難い画面になってしまうといった問題が一例として挙げられる。具体的には、都市部などのマークが密集する地域では、優先度の上位の数ジャンルのマークしか表示させることができず、マークを有効に活用することができないといった問題が一例として挙げられる。
【課題を解決するための手段】
【０００７】
上述した課題を解決し、目的を達成するため、請求項１の発明にかかる表示装置は、地図を表示する表示手段と、地図の縮尺変更を受け付ける入力手段と、表示している地図の縮尺に応じて、表示される施設を示すマークの表示形式を異ならせる制御手段と、を備えることを特徴とする。
【０００８】
また、請求項６に記載の表示制御方法は、地図を表示する表示装置の表示制御方法において、地図の縮尺変更を受け付ける入力工程と、表示している地図の前記縮尺に応じて、表示される施設を示すマークの表示形式を異ならせる制御工程と、を含むことを特徴とする。
【０００９】
また、請求項７に記載の表示制御プログラムは、請求項６に記載の表示制御方法をコンピュータに実行させることを特徴とする。
【００１０】
また、請求項８の発明にかかる記録媒体は、請求項７に記載の表示制御プログラムをコンピュータに読み取り可能に記録したことを特徴とする。
【図面の簡単な説明】
【００１１】
【図１】実施の形態にかかる表示装置の機能的構成の一例を示すブロック図である。
【図２】実施の形態にかかる表示装置の表示制御処理手順の一例を示すフローチャートである。
【図３】本実施例にかかるナビゲーション装置のハードウェア構成の一例を示すブロック図である。
【図４】マークの大きさを変更する際の表示制御処理の一例を示すフローチャートである。
【図５】マークの形状および大きさを変更する際の表示制御処理の一例を示すフローチャートである。
【図６】マークの色および形状に関する設定情報の一例を示す説明図である。
【図７】設定される色および形状にマークを変更する際の表示制御処理の一例を示すフローチャートである。
【図８】優先度情報の一例を示す説明図である。
【図９】優先度の高いマークを手前に配置させる際の表示制御処理の一例を示すフローチャートである。
【図１０】本実施例にかかるナビゲーション装置の表示画面の一例を示す説明図である。
【図１１】マークの大きさを変更した場合の表示画面を示す説明図である。
【図１２】マークの形状および大きさを変更した場合の表示画面を示す説明図である。
【図１３】設定される色および形状にマークを変更した場合の表示画面を示す説明図である。
【図１４】優先度の高いマークを手前に配置させた場合の表示画面を示す説明図である。
【図１５】マークが重合する場合、優先度の低いマークを表示させないようにした場合の表示画面を示す説明図である。
【図１６】マークの大きさを変更した場合の表示画面を示す説明図である。
【発明を実施するための形態】
【００１２】
以下に添付図面を参照して、この発明にかかる表示装置、表示制御方法、表示制御プログラム、および記録媒体の好適な実施の形態を詳細に説明する。
【００１３】
（実施の形態）
（表示装置の機能的構成）
この発明の実施の形態にかかる表示装置１００の機能的構成について説明する。図１は、実施の形態にかかる表示装置１００の機能的構成の一例を示すブロック図である。図１において、表示装置１００は、検出部１０１と、制御部１０２と、表示部１０３と、マーク設定部１０４と、優先度設定部１０５とを備えて構成される。
【００１４】
検出部１０１は、使用している地図の縮尺を検出する。検出部１０１による検出のタイミングは、表示装置１００の電源をオンにしたときなどの地図画面を表示したときや、利用者からの入力により地図画面の縮尺が変わったときなどが挙げられる。
【００１５】
制御部１０２は、検出部１０１によって検出された縮尺に応じて、表示エリア内に表示される施設を示すマークの表示形式を異ならせる。なお、制御部１０２は、マークの配置位置を考慮して、マークの表示形式を異ならせる。また、制御部１０２は、予め設定される特定のジャンルのマークに対してのみ、表示形式を異ならせる制御をおこなってもよい。
【００１６】
マークは、たとえば、役所、病院、警察署、消防署、図書館、学校、駅、空港、駐車場、ガソリンスタンド、コンビニエンスストア等、施設を図案化したものである。マークの表示形式は、平面表示、立体表示、マークの傾き加減、点滅等、表示形式に関わるものを広く含むが、代表的には、後述するように、マークの大きさ、色、形、などが挙げられる。
【００１７】
表示部１０３は、制御部１０２の制御により地図画面を表示する。表示部１０３には、ディスプレイなど地図画面を表示できるものを用いる。
【００１８】
また、本実施の形態において、制御部１０２は、検出部１０１によって検出された縮尺が所定値以下の場合に、縮尺に応じてマークの表示形式を異ならせることが望ましい。所定値とは、具体的には、広域表示となる縮尺であり、たとえば、予め設定される値である。縮尺が所定値以下の場合としたのは、縮尺が小さい場合ほど、表示領域が広がることにより、つまり、マークの数が増えることにより、マークの乱立または重合が生じ易くなるため、表示形式を異ならせることが有効なためである。
【００１９】
また、本実施の形態において、制御部１０２は、検出部１０１によって検出された縮尺と、表示されるマークの数とに応じて、マークの表示形式を異ならせるようにしてもよい。制御部１０２は、具体的には、表示エリアにおけるマークの占める割合を考慮して、マークの表示形式を異ならせる。マークの数によって表示形式を異ならせるようにしたのは、たとえば、マークの数が増えるとマークの乱立または重合が生じ易くなるため、表示形式を異ならせることが有効なためである。
【００２０】
また、本実施の形態において、制御部１０２は、検出部１０１によって検出された縮尺に応じて、マークの大きさを変えてもよい。具体的には、制御部１０２は、縮尺が小さくなるほどマークを小さくする。また、制御部１０２は、縮尺が大きいほどマークを大きくしてもよい。
【００２１】
また、本実施の形態において、制御部１０２は、検出部１０１によって検出された縮尺に応じて、マークの色を変えてもよい。縮尺によって変わるマークの色は、マーク全体の色であってもよいし、輪郭のみの色であってもよいし、輪郭内の図案のみの色であってもよい。
【００２２】
また、本実施の形態において、制御部１０２は、検出部１０１によって検出された縮尺に応じて、マークの形を異ならせるようにしてもよい。マークの形は、三角形状、四角形状、他の多角形状のほか、矢印形状、文字形状、星型形状、などいずれでもよいが、代表的には、丸形状が望ましい。丸形状にすることにより、マークの表示領域を小さくすることができ、地図画面の領域を広く確保することが可能になる。
【００２３】
また、本実施の形態において、マーク設定部１０４は、任意の構成要素である。マーク設定部１０４は、マークの色または形状を設定する。この場合、制御部１０２は、マーク設定部１０４に設定される色または形状のマークを表示させる。マーク設定部１０４に設定されるマークの色または形状は、利用者からの入力によって適宜、設定変更を可能にすればよい。
【００２４】
また、本実施の形態において、制御部１０２は、検出部１０１によって検出された縮尺によらず、表示させるマークの数を変動させないようにマークを配置してもよい。本構成は、縮尺が変更した場合であっても、マークの配置のほか、たとえば、大きさや形状等を制御することにより、マークの表示個数を変動させないようにしたものである。
【００２５】
また、本実施の形態において、制御部１０２は、マークをそれぞれ重合しないように配置させてもよい。マークを用いて表示される施設が地図画面上にて近接し、マークをそのまま地図画面上にて表したときに各マークが重合する場合、たとえば、引出線等を用いて、各マークを重合させないようにすればよい。
【００２６】
また、本実施の形態において、優先度設定部１０５は、任意の構成要素である。優先度設定部１０５は、マークを優先して表示させるための優先度を、ジャンルごとに設定する。この場合、制御部１０２は、マークが重合する場合、優先度設定部１０５に設定される優先度のうち、優先度の高いジャンルのマークを手前に配置させるようにする。優先度設定部１０５に設定される優先度は、利用者からの入力によって適宜、設定変更を可能にすればよい。
【００２７】
また、本実施の形態において、制御部１０２は、マークが重合する場合、優先度設定部１０５に設定される優先度のうち、優先度の低いジャンルのマークを表示させないように制御してもよい。
【００２８】
また、本実施の形態において、マークは、団体名、商号、商品名を示すロゴマークとしてもよい。ロゴマークは、具体的には、企業名やブランド名を示すマークであり、たとえば、ガソリンスタンドのマークに対して、企業（店）ごとの識別を可能にする。また、上述した各種設定においても、企業ごとに優先度を設定することも可能である。具体的には、たとえば、ガソリンスタンドのうち、利用者がよく利用している系列店のマークに対して、優先度を高く設定したりすることも可能である。
【００２９】
（表示装置の表示制御処理手順）
つぎに、図２を用いて、表示装置１００の表示制御処理手順について説明する。図２は、実施の形態にかかる表示装置１００の表示制御処理手順の一例を示すフローチャートである。
【００３０】
図２のフローチャートにおいて、表示装置１００は、地図の縮尺が変わったか否かを判断する（ステップＳ２０１）。ステップＳ２０１において、地図の縮尺が変わるまで待機状態にあり（ステップＳ２０１：Ｎｏのループ）、地図の縮尺が変わると（ステップＳ２０１：Ｙｅｓ）、マークの表示形式を異ならせる制御をおこなう（ステップＳ２０２）。そして、地図画面上にマークを表示し（ステップＳ２０３）、一連の処理を終了する。
【００３１】
以上説明したように、本実施の形態にかかる表示装置１００は、縮尺に応じて、施設を示すマークの表示形式を異ならせるようにしたので、縮尺に対応したマークを表示させることができる。したがって、マークを有効に活用できるとともに、地図画面に対して見易いマークを表示させることができる。これにより、利用者は、簡単且つ迅速に、地図およびマークを視認することができる。
【００３２】
また、本実施の形態において、縮尺が所定値以下の場合に、縮尺に応じてマークの表示形式を異ならせるようにすれば、広域表示においてマークが乱立する場合でも、視認性の良好なマークを表示させることができる。したがって、利用者は、簡単且つ迅速に、地図およびマークを視認することができる。
【００３３】
また、本実施の形態において、縮尺とマークの数とに応じて、マークの表示形式を異ならせるようにすれば、マークの数が多く、マークが乱立する場合でも、視認性の良好なマークを表示させることができる。したがって、利用者は、簡単且つ迅速に、地図およびマークを視認することができる。
【００３４】
また、本実施の形態において、縮尺に応じて、マークの大きさを変えるようにすれば、小縮尺の場合にマークを小さくし、大縮尺の場合にマークを大きくすることができる。これにより、地図画面とのバランスのとれた大きさのマークを表示することができる。つまり、利用者にとって見易い画面を表示することができる。したがって、利用者は、簡単且つ迅速に、地図およびマークを視認することができる。
【００３５】
また、本実施の形態において、縮尺に応じて、マークの色を変えるようにすれば、利用者にとってマークの識別をおこない易い画面を表示することができる。したがって、利用者は、簡単且つ迅速に、地図およびマークを視認することができる。
【００３６】
また、本実施の形態において、縮尺に応じて、マークの形を異ならせるようにすれば、利用者にとって識別をおこない易い画面を表示することができる。したがって、利用者は、簡単且つ迅速に、地図およびマークを視認することができる。
【００３７】
また、本実施の形態において、縮尺に応じて、マークの形を丸形状にすれば、マークの表示領域を小さくすることができ、地図画面の領域を広く確保することができる。これにより、多数の施設が密集する地域であっても、見易いマークを表示させることができる。
【００３８】
また、本実施の形態において、設定される色または形状のマークを表示させるようにすれば、利用者の好みに応じた色または形状のマークを表示することができる。したがって、利用者にとって識別をおこない易い画面を表示することができる。これにより、利用者は、簡単且つ迅速に、地図およびマークを視認することができる。
【００３９】
また、本実施の形態において、縮尺によらず、表示させるマークの数を変動させないようにすれば、利用者に対して通知する情報量を低下させることがない。
【００４０】
また、本実施の形態において、マークをそれぞれ重合しないように配置させるようにすれば、利用者にとって見易い画面を表示することができる。
【００４１】
また、本実施の形態において、マークが重合する場合、マークを優先して表示させるための優先度の高いジャンルのマークを手前に配置させるようにすれば、利用者の所望するマークを優先して表示することができる。
【００４２】
また、本実施の形態において、マークが重合する場合、設定される優先度のうち、優先度の低いジャンルのマークを表示させないようにすれば、利用者の所望するマークのみを表示することができる。
【００４３】
また、本実施の形態において、マークを、団体名、商号、商品名を示すロゴマークとすれば、利用者がよく利用している系列店などのマークに対して、マークの色または形状を設定したり、優先度を高く設定したりすることができることにより、利用者は、施設を詳細に把握することができる。
【実施例】
【００４４】
以下に、本発明の実施例について説明する。本実施例では、車両に搭載されるナビゲーション装置によって、本発明の表示装置１００を実施した場合の一例について説明する。
【００４５】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。
【００４６】
図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、ＧＰＳユニット３１４と、各種センサ３１５とを備えている。また、各構成部３０１〜３１５はバス３２０によってそれぞれ接続されている。
【００４７】
ＣＰＵ３０１は、ナビゲーション装置３００の全体の制御を司る。ＲＯＭ３０２は、ブートプログラム、現在地点算出プログラム、経路探索プログラム、経路誘導プログラム、表示制御プログラム、などの各種プログラムを記録している。また、ＲＡＭ３０３は、ＣＰＵ３０１のワークエリアとして使用される。
【００４８】
現在地点算出プログラムは、たとえば、後述するＧＰＳユニット３１４および各種センサ３１５の出力情報に基づいて、車両の現在地点（ナビゲーション装置３００の現在地点）を算出させる。
【００４９】
経路探索プログラムは、後述する磁気ディスク３０５に記録されている地図データなどを利用して、出発地点から目的地点までの最適な経路を探索させる。ここで、最適な経路とは、目的地点までの最短（または最速）経路や利用者が指定した条件に最も合致する経路などである。また、目的地点のみならず、立ち寄り地点や休憩地点までの経路を探索してもよい。探索された誘導経路は、ＣＰＵ３０１を介して音声Ｉ／Ｆ３０８や映像Ｉ／Ｆ３１１へ出力される。
【００５０】
経路誘導プログラムは、経路探索プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１１へ出力される。
【００５１】
表示制御プログラムは、ディスプレイ３１２に表示している地図の縮尺を検出するとともに、検出した縮尺に応じて、施設を示すマークの表示形式を決定する。決定された表示形式のマークは、ＣＰＵを介して映像Ｉ／Ｆ３１１へ出力される。
【００５２】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００５３】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００５４】
磁気ディスク３０５や光ディスク３０７に記録される情報の一例としては、地図データや機能データが挙げられる。地図データは、建物、河川、地表面などの地物（フィーチャ）を表す背景データと、道路の形状を表す道路形状データとを有しており、地区ごとに分けられた複数のデータファイルによって構成されている。この地図データは、ディスプレイ３１２の表示画面において２次元または３次元に描写される。ナビゲーション装置３００が経路誘導中の場合は、地図データと後述するＧＰＳユニット３１４によって取得された車両の現在地点を示す車両マークとが重ねて表示されることとなる。
【００５５】
また、磁気ディスク３０５や光ディスク３０７に記録される情報の一例としては、施設を示すマークが挙げられる。このマークは、ジャンルごとに設定されたマークであり、たとえば、ガソリンスタンド、飲食店などを示すマークである。なお、マークは、ジャンルごとに設定されるものに限らず、たとえば、ガソリンスタンドをさらに細分化した、系列店ごとに設定されたものでもよい。
【００５６】
音声Ｉ／Ｆ３０８は、音声出力用のスピーカ３０９に接続される。スピーカ３０９は、音声を出力する。入力デバイス３１０は、文字、数値、各種指示などの入力のための複数のキーを備えたリモコン、キーボード、マウス、タッチパネルなどが挙げられる。入力デバイス３１０は、リモコン、キーボード、マウス、タッチパネルのうち、いずれか一つの形態によって実現されてもよいし、複数の形態によって実現してもよい。
【００５７】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００５８】
ディスプレイ３１２には、上述したマークなどのアイコン、カーソル、メニュー、ウインドウ、あるいは文字や画像などの各種データが表示される。ディスプレイ３１２には、上述した地図データが２次元または３次元に描画される。ディスプレイ３１２に表示された地図データには、ナビゲーション装置３００を搭載した車両の現在地点をあらわすマークなどを重ねて表示することができる。車両の現在地点は、ＣＰＵ３０１によって算出される。
【００５９】
このディスプレイ３１２は、たとえば、ＣＲＴ、ＴＦＴ液晶ディスプレイ、プラズマディスプレイなどを採用することができる。ディスプレイ３１２は、たとえば、車両のダッシュボード付近に設置される。ディスプレイ３１２は、車両のダッシュボード付近のほか、車両の後部座席周辺などに設置するなどして、車両内に複数設置してもよい。
【００６０】
通信Ｉ／Ｆ３１３は、無線を介してネットワークに接続され、ナビゲーション装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００６１】
通信網には、ＬＡＮ、ＷＡＮ、公衆回線網や携帯電話網などがある。具体的には、通信Ｉ／Ｆ３１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路情報を取得する。なお、ＶＩＣＳは登録商標である。
【００６２】
また、通信Ｉ／Ｆ３１３は、たとえば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた場合は、路側に設置された無線装置と双方向の無線通信をおこなう車載無線装置によって構成され、交通情報や地図情報などの各種情報を取得する。なお、ＤＳＲＣの具体例としては、ＥＴＣ（ノンストップ自動料金支払いシステム）が挙げられる。
【００６３】
ＧＰＳユニット３１４は、ＧＰＳ衛星からの電波を受信し、車両の現在地点を示す情報を出力する。ＧＰＳユニット３１４の出力情報は、後述する各種センサ３１５の出力値とともに、ＣＰＵ３０１による車両の現在地点の算出に際して利用される。現在地点を示す情報は、たとえば緯度・経度、高度などの、地図データ上の１点を特定する情報である。
【００６４】
各種センサ３１５は、車速センサ、加速度センサ、角速度センサなどの、車両の位置や挙動を判断することが可能な情報を出力する。各種センサ３１５の出力値は、ＣＰＵ３０１による車両の現在地点の算出や、速度や方位の変化量の測定などに用いられる。
【００６５】
図１に示した表示装置１００が備える検出部１０１と、制御部１０２と、表示部１０３と、マーク設定部１０４と、優先度設定部１０５とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００６６】
すなわち、本実施例のナビゲーション装置３００は、ナビゲーション装置３００における記録媒体としてのＲＯＭ３０２に記録されている表示制御プログラムを実行することにより、図１に示した表示装置１００が備える機能を、図２に示した表示制御処理手順で実行することができる。
【００６７】
（マークの大きさを変更する際の表示制御処理の一例）
つぎに、図４を用いて、マークの大きさを変更する際の表示制御処理の一例について説明する。図４は、マークの大きさを変更する際の表示制御処理の一例を示すフローチャートである。
【００６８】
図４のフローチャートにおいて、ナビゲーション装置３００は、地図の縮尺が変わったか否かを判断する（ステップＳ４０１）。なお、ステップＳ４０１では、詳細については後述するが、図１０に示す表示画面が表示されているものとする。ステップＳ４０１において、地図の縮尺が変わるまで待機状態にあり（ステップＳ４０１：Ｎｏのループ）、地図の縮尺が変わると（ステップＳ４０１：Ｙｅｓ）、小縮尺に変わったか否かを判断する（ステップＳ４０２）。
【００６９】
ステップＳ４０２において、小縮尺に変わったと判断すると（ステップＳ４０２：Ｙｅｓ）、所定の縮尺か否かを判断する（ステップＳ４０３）。所定の縮尺とは、具体的には、広域表示として予め設定される縮尺である。ステップＳ４０３において、所定の縮尺であると判断した場合（ステップＳ４０３：Ｙｅｓ）、表示されるマークの数が一定数以上か否かを判断する（ステップＳ４０４）。ステップＳ４０４において、マークの数が一定数以上であると判断した場合（ステップＳ４０４：Ｙｅｓ）、マークを小さくする制御をおこなう（ステップＳ４０５）。そして、地図画面上にマークを表示し（ステップＳ４０６）、一連の処理を終了する。なお、マークを小さくした場合の表示画面は、詳細については後述するが、図１１に示す画面である。
【００７０】
一方、ステップＳ４０２において、小縮尺に変わっていないと判断すると（ステップＳ４０２：Ｎｏ）、つまり、大縮尺に変わったと判断した場合、ステップＳ４０６に移行する。また、ステップＳ４０３において、所定の縮尺ではないと判断した場合（ステップＳ４０３：Ｎｏ）、ステップＳ４０６に移行する。また、ステップＳ４０４において、マークの数が一定数以上ではないと判断した場合（ステップＳ４０４：Ｎｏ）、ステップＳ４０６に移行する。
【００７１】
なお、上述した処理において、ステップＳ４０３（所定の縮尺か否かの判断）およびステップＳ４０４（マークの数が一定数以上か否かの判断）の順番は任意である。また、ステップＳ４０３およびステップＳ４０４の判断をおこなわずに、ステップＳ４０２にて、小縮尺に変わったと判断した場合に（ステップＳ４０２：Ｙｅｓ）、ステップＳ４０５（マークを小さくする制御）に移行する処理としてもよい。また、ステップＳ４０２において、小縮尺ではないと判断した場合（ステップＳ４０２：Ｎｏ）、つまり、大縮尺に変わったと判断した場合、マークを大きくする制御としてもよい。なお、マークを大きくした場合の表示画面は、詳細については後述するが、図１６に示す画面である。
【００７２】
上述した処理によれば、縮尺が所定値以下の場合に、縮尺に応じてマークの表示形式を異ならせるようにしたので、広域表示においてマークが乱立する場合でも、視認性の良好なマークを表示させることができる。
【００７３】
また、表示されるマークの数に応じて、マークの表示形式を異ならせるようにしたので、マークの数が多く、マークが乱立する場合でも、視認性の良好なマークを表示させることができる。
【００７４】
また、縮尺に応じて、マークの大きさを変えるようにし、つまり、小縮尺の場合にマークを小さくするようにしたので、地図画面とのバランスのとれた大きさのマークを表示することができる。したがって、利用者にとって見易い画面を表示することができる。これにより、利用者は、簡単且つ迅速に、地図およびマークを視認することができる。
【００７５】
（マークの形状および大きさを変更する際の表示制御処理の一例）
つぎに、図５を用いて、マークの形状および大きさを変更する際の表示制御処理の一例について説明する。図５は、マークの形状および大きさを変更する際の表示制御処理の一例を示すフローチャートである。なお、図５に示すフローチャートは、図４に示したフローチャートの処理がおこなわれたことを前提とする。
【００７６】
図５のフローチャートにおいて、ナビゲーション装置３００は、地図の縮尺が変わったか否かを判断する（ステップＳ５０１）。ステップＳ５０１では、詳細については後述するが、図１１に示す表示画面が表示されているものとする。ステップＳ５０１において、地図の縮尺が変わるまで待機状態にあり（ステップＳ５０１：Ｎｏのループ）、地図の縮尺が変わると（ステップＳ５０１：Ｙｅｓ）、小縮尺に変わったか否かを判断する（ステップＳ５０２）。
【００７７】
ステップＳ５０２において、小縮尺に変わったと判断すると（ステップＳ５０２：Ｙｅｓ）、マークを小さくし、マークの枠を丸くする制御をおこなう（ステップＳ５０３）。なお、ステップＳ５０３の処理の前に、図４に示したステップＳ４０３（所定の縮尺か否かの判断）およびステップＳ４０４（マークの数が一定数以上か否かの判断）と同様の処理をおこなうようにしてもよい。
【００７８】
そして、地図画面上にマークを表示し（ステップＳ５０４）、一連の処理を終了する。なお、マークを小さくし、マークの枠を丸くした場合の表示画面は、詳細については後述するが、図１２に示す画面である。
【００７９】
一方、ステップＳ５０２において、小縮尺に変わっていないと判断すると（ステップＳ５０２：Ｎｏ）、つまり、大縮尺に変わったと判断すると、マークを大きくする制御をおこない（ステップＳ５０５）、ステップＳ５０４に移行する。なお、マークを大きくした場合の表示画面は、詳細については後述するが、図１０に示す画面である。
【００８０】
上述した処理によれば、縮尺に応じて、マークの形を異ならせるようにしたので、利用者にとってマークの識別をおこない易い画面を表示することができる。また、上述した処理では、縮尺に応じて、マークの形を丸形状にしたので、マークの表示領域を小さくすることができ、地図画面の領域を広く確保することができる。これにより、多数の施設が密集する地域であっても、見易いマークを表示させることができる。
【００８１】
（設定される色および形状にマークを変更する際の表示制御処理の一例）
つぎに、図６および７を用いて、設定される色および形状にマークを変更する際の表示制御処理の一例について説明する。
【００８２】
表示制御処理の説明に入る前に、まず、図６を用いて、マークの色および形状の設定について説明する。図６は、マークの色および形状に関する設定情報の一例を示す説明図である。図６において、設定情報６００には、予め登録される登録情報６１０と、利用者からの入力により設定変更可能なユーザ設定情報６２０とからなる。なお、ユーザ設定情報６２０は、予め設定される一律のものであってもよい。
【００８３】
登録情報６１０には、施設ごとに対応するマークが登録されている。ユーザ設定情報６２０には、小縮尺の地図画面にて表示される「他のマーク」と、その色とが設定されている。つまり、施設に対応するマークが、小縮尺の地図画面にて表示される「他のマーク」の形状と、その色とを示している。具体的には、「学校」を例に挙げて説明すると、通常時のマークが「文」であり、小縮尺時には、赤色の四角形が表示されることを示している。
【００８４】
なお、図６に示した設定情報６００においては、ジャンルごとのマークとしたが、系列店ごとに固有のロゴマークに対して、「他のマーク」およびその色を設定することも勿論可能である。
【００８５】
図７は、設定される色および形状にマークを変更する際の表示制御処理の一例を示すフローチャートである。なお、図７に示すフローチャートは、図４に示したフローチャートの処理がおこなわれたことを前提とする。
【００８６】
図７のフローチャートにおいて、ナビゲーション装置３００は、地図の縮尺が変わったか否かを判断する（ステップＳ７０１）。ステップＳ７０１では、詳細については後述するが、図１１に示す表示画面が表示されているものとする。ステップＳ７０１において、地図の縮尺が変わるまで待機状態にあり（ステップＳ７０１：Ｎｏのループ）、地図の縮尺が変わると（ステップＳ７０１：Ｙｅｓ）、小縮尺に変わったか否かを判断する（ステップＳ７０２）。
【００８７】
ステップＳ７０２において、小縮尺に変わったと判断すると（ステップＳ７０２：Ｙｅｓ）、設定される色および形状にマークを変更する制御をおこなう（ステップＳ７０３）。なお、ステップＳ７０３の処理の前に、図４に示したステップＳ４０３（所定の縮尺か否かの判断）およびステップＳ４０４（マークの数が一定数以上か否かの判断）と同様の処理をおこなうようにしてもよい。
【００８８】
そして、地図画面上にマークを表示し（ステップＳ７０４）、一連の処理を終了する。ステップＳ７０４において、地図画面上に表示される各施設のマークは、図６に示したユーザ設定情報６２０の通りであり、具体例としては、たとえば、学校が赤色の四角形のマークとして表示される。なお、設定される色および形状にマークを変更した場合の表示画面は、詳細については後述するが、図１３に示す画面である。
【００８９】
一方、ステップＳ７０２において、小縮尺に変わっていないと判断すると（ステップＳ７０２：Ｎｏ）、つまり、大縮尺に変わったと判断すると、マークを大きくする制御をおこない（ステップＳ７０５）、ステップＳ７０４に移行する。なお、マークを大きくした場合の表示画面は、詳細については後述するが、図１０に示す画面である。
【００９０】
上述した処理によれば、設定される色または形状のマークを表示させるようにしたので、利用者の好みに応じた色または形状のマークを表示することができる。したがって、利用者にとって識別をおこない易い画面を表示することができ、利用者は、簡単且つ迅速に、地図およびマークを視認することができる。
【００９１】
（優先度の高いマークを手前に配置させる際の表示制御処理の一例）
つぎに、図８および９を用いて、優先度の高いマークを手前に配置させる際の表示制御処理の一例について説明する。
【００９２】
表示制御処理の説明に入る前に、まず、図８を用いて、優先度の設定について説明する。図８は、優先度情報の一例を示す説明図である。図８において、優先度情報８００には、予め登録される登録情報８１０と、利用者からの入力により設定変更可能なユーザ設定情報８２０とからなる。なお、ユーザ設定情報８２０は、予め設定される一律のものであってもよい。
【００９３】
登録情報８１０は、施設ごとに対応するマークが登録されている。ユーザ設定情報８２０には、小縮尺の地図画面にて表示する際の優先順位が設定されている。優先度情報８００は、施設に対応するマークが小縮尺の地図画面にて重合した場合に、手前に表示するマークの優先順位を示している。具体的には、優先度情報８００のうち「コンビニエンスストア」を例に挙げると、マークが「Ｃ」に、優先順位が「２」になっており、小縮尺時に、優先順位が「１」の「ガソリンスタンド」のマークと重合した場合には、「ガソリンスタンド」よりも後ろ側に配置され、それ以外の施設のマークと重合したとしても、手前に配置されることを示している。
【００９４】
なお、図８に示した優先度情報８００においては、ジャンルごとの優先順位を設定したが、系列店ごとに固有のロゴマークに対して優先順位を設定することも勿論可能である。
【００９５】
図９は、優先度の高いマークを手前に配置させる際の表示制御処理の一例を示すフローチャートである。なお、図９に示すフローチャートは、図５に示したフローチャートの処理がおこなわれたことを前提とする。
【００９６】
図９のフローチャートにおいて、ナビゲーション装置３００は、地図の縮尺が変わったか否かを判断する（ステップＳ９０１）。ステップＳ９０１では、詳細については後述するが、図１２に示す表示画面が表示されているものとする。ステップＳ９０１において、地図の縮尺が変わるまで待機状態にあり（ステップＳ９０１：Ｎｏのループ）、地図の縮尺が変わると（ステップＳ９０１：Ｙｅｓ）、小縮尺に変わったか否かを判断する（ステップＳ９０２）。
【００９７】
ステップＳ９０２において、小縮尺に変わったと判断すると（ステップＳ９０２：Ｙｅｓ）、マークの大きさは最小か否かを判断する（ステップＳ９０３）。ステップＳ９０３において、マークの大きさが最小ではないと判断した場合（ステップＳ９０３：Ｎｏ）、マークを小さくする制御をおこない（ステップＳ９０４）、マークが重合するか否かを判断する（ステップＳ９０５）。また、ステップＳ９０３において、マークの大きさが最小であると判断した場合（ステップＳ９０３：Ｙｅｓ）、ステップＳ９０５に移行する。
【００９８】
ステップＳ９０５において、マークが重合すると判断した場合（ステップＳ９０５：Ｙｅｓ）、優先度情報を取得する（ステップＳ９０６）。そして、優先度の高い施設のマークを手前に配置する（ステップＳ９０７）。このあと、地図画面上にマークを表示し（ステップＳ９０８）、一連の処理を終了する。なお、優先度の高いマークを手前に配置した場合の表示画面は、詳細については後述するが、図１４に示す画面である。
【００９９】
また、ステップＳ９０７においては、優先度の高い施設のマークを手前に配置することに限らず、優先度の高い施設のマークのみを表示するようにし、優先度の低い施設を表示させないようにしてもよい。優先度の高いマークのみを表示した場合の表示画面は、詳細については後述するが、図１５に示す画面である。
【０１００】
一方、ステップＳ９０５において、マークが重合しないと判断した場合（ステップＳ９０５：Ｎｏ）、ステップＳ９０８に移行する。また、ステップＳ９０２において、小縮尺に変わっていないと判断すると（ステップＳ９０２：Ｎｏ）、つまり、大縮尺に変わったと判断すると、マークを大きくする制御をおこない（ステップＳ９０９）、ステップＳ９０８に移行する。なお、マークを大きくした場合の表示画面は、詳細については後述するが、図１１に示す画面である。
【０１０１】
また、上述した処理では、マークが丸形状に表示されていることを前提とし、つまり、図５に示したフローチャートおよび図１２に示す表示画面を前提としたが、設定される色または形状に表示されていることを前提とした場合には、つまり、図７に示したフローチャートおよび図１３に示す表示画面を前提とした場合には、設定される色または形状のマークを優先度に応じて、優先度の高い施設のマークを手前に配置させたり、優先度の高い施設のマークのみを表示させたりしてもよい。
【０１０２】
上述した処理によれば、マークが重合する場合、優先度の高いジャンルのマークを手前に配置させるようにしたので、利用者の所望するマークを優先して表示することができる。したがって、利用者は、簡単且つ迅速に、地図およびマークを視認することができる。
【０１０３】
（表示画面の一例）
つぎに、図１０〜図１６を用いて、本実施例にかかるナビゲーション装置３００の表示画面の一例について説明する。図１０は、本実施例にかかるナビゲーション装置３００の表示画面の一例を示す説明図である。
【０１０４】
図１０において、表示画面１０００には、地図画面１０１０と、付帯画面１０２０とが表示されている。地図画面１０１０には、施設が存在する位置に、適宜、アイコンのマークが表示されている。なお、各マークに相当する施設は、図６または図８に示した通りである。
【０１０５】
また、付帯画面１０２０は、地図画面の現在位置、時刻、地図のスケール、地図画面の縮尺変更を受け付ける選択ボタン１０２１、が表示されている。この表示画面１０００において、選択ボタン１０２１のうち、「詳細」が選択されると、後述する図１６に示す画面に移行する。一方、選択ボタン１０２１のうち、「広域」が選択されると、図１１に示す画面に移行する。
【０１０６】
図１１は、マークの大きさを変更した場合の表示画面１１００を示す説明図である。図１１において、表示画面１１００には、地図画面１１１０と、付帯画面１１２０とが表示されている。地図画面１１１０は、図１０に示した地図画面１０１０に比べて、縮尺が小さくなっている。また、地図画面１１１０に表示されるマークは、図１０に示した地図画面１０１０に表示されるマークに比べて大きさが小さくなっている。
【０１０７】
この表示画面１１００において、選択ボタン１１２１のうち、「詳細」が選択されると、図１０に示した表示画面１０００に移行する。一方、選択ボタン１１２１のうち、「広域」が選択されると、図１２または図１３に示す画面に移行する。
【０１０８】
このような表示画面１１００によれば、縮尺に応じて、マークの大きさを変えるようにし、つまり、小縮尺の場合にマークを小さくしたので、地図画面とのバランスのとれた大きさのマークを表示することができる。したがって、利用者にとって見易い画面を表示することができる。
【０１０９】
図１２は、マークの形状および大きさを変更した場合の表示画面１２００を示す説明図である。図１２において、表示画面１２００には、地図画面１２１０と、付帯画面１２２０とが表示されている。地図画面１２１０は、図１１に示した地図画面１１１０に比べて、縮尺が小さくなっている。
【０１１０】
また、地図画面１２１０に表示されるマークは、図１１に示した地図画面１１１０に表示されるマークに比べて、大きさが小さくなっており、さらにマークの形状が丸形状になっている。また、地図画面１２１０には、図１１に示した地図画面１１１０に表示されるマークが削除されずに表示されている。さらに、地図画面１２１０では、マークが重合しないように配置されている。なお、マークの形状は、丸形状に限らず、マークの表示領域を小さくすることができれば、他の形状であってもよい。
【０１１１】
この表示画面１２００において、選択ボタン１２２１のうち、「詳細」が選択されると、図１１に示した表示画面１１００に移行する。一方、選択ボタン１２２１のうち、「広域」が選択されると、後述する図１４または図１５に示す画面に移行する。
【０１１２】
このような表示画面１２００によれば、縮尺に応じて、マークの形を異ならせるようにしたので、マークの識別をおこない易い画面を表示することができる。また、縮尺に応じて、マークの形を丸形状にしたので、マークの表示領域を小さくすることができ、地図画面の領域を広く確保することができる。これにより、多数の施設が密集する地域であっても、利用者は、簡単且つ迅速に、地図およびマークを視認することができる。
【０１１３】
一方、図１３は、設定される色および形状にマークを変更した場合の表示画面１３００を示す説明図である。表示画面１３００には、地図画面１３１０と、付帯画面１３２０とが表示されている。地図画面１３１０は、図１１に示した地図画面１１１０に比べて、縮尺が小さくなっている。また、地図画面１３１０に表示されるマークは、図１１に示した地図画面１１１０に表示されるマークに比べて、大きさが小さくなっており、さらにマークの色および形状が異なっている。
【０１１４】
各マークに相当する施設は、図６に示した通りであり、同じ形状のマークであっても、それぞれ色は異なって表示される。また、地図画面１３１０には、図１１に示した地図画面１１１０に表示されるマークが削除されずに表示されている。さらに、地図画面１３１０では、マークが重合しないように配置されている。
【０１１５】
なお、この表示画面１３００において、選択ボタン１３２１のうち「詳細」が選択されると、図１１に示した表示画面１１００に移行する。一方、選択ボタンのうち「広域」が選択された場合の画面については、図１４および図１５の説明の後に説明する。
【０１１６】
このような表示画面１３００によれば、設定される色または形状のマークを表示させるようにしたので、利用者の好みに応じた色または形状のマークを表示することができる。したがって、利用者にとって識別をおこない易い画面を表示することができ、利用者は、簡単且つ迅速に、地図およびマークを視認することができる。
【０１１７】
図１４は、優先度の高いマークを手前に配置させた場合の表示画面１４００を示す説明図である。図１４において、表示画面１４００には、地図画面１４１０と、付帯画面１４２０とが表示されている。地図画面１４１０は、図１２に示した地図画面１２１０に比べて、縮尺が小さくなっている。また、地図画面１４１０に表示されるマークは、図１２に示した地図画面１２１０に表示されるマークと同等の大きさである。つまり、マークは、最小の大きさであることを示している。
【０１１８】
なお、図１４の地図画面１４１０においては、マークを重合せずに配置するスペースがあるが、説明の便宜上、マークを重合配置させている。また、このように、マークを重合せずに配置するスペースがある場合には、各マークを、引き出し線等を用いて重合しないように表示すればよい。
【０１１９】
符号１４１１および符号１４１２に示す重合しているマークは、図８の優先度情報８００に示した優先順位の高いマークほど、手前に表示されている。符号１４１１に示す重合しているマークは、ガソリンスタンド（図８に示す優先順位１位）、駐車場（図８に示す優先順位２位）、コンビニエンスストア（図８に示す優先順位３位）の順に手前側から表示されている。
【０１２０】
また、符号１４１２に示す重合しているマークは、神社（図８に示す優先順位７位）、寺（図８に示す優先順位８位）の順に手前側から表示されている。また、後ろ側に配置されているマークは、手前側に配置されるマークにより、その領域の半分程度が隠れているが、施設の内容が視認できる程度にずれている。したがって、利用者は、後ろ側に配置されているマークを認識することができる。
【０１２１】
この表示画面１４００において、選択ボタン１４２１のうち、「詳細」が選択されると、図１２に示した表示画面１２００に移行する。一方、選択ボタン１４２１のうち、「広域」が選択されると、さらに広域な画面に移行する。なお、さらに広域な画面において、マークが重合する場合には、上述したように、優先度の高いマークを手前側に配置させて表示すればよい。
【０１２２】
なお、図１３に示した表示画面において、選択ボタン１３２１のうち「広域」が選択されると、上述した表示画面１４００と同様に、優先度の高いマークを手前側に配置させるとともに、当該マークの色および形状を表示させればよい。
【０１２３】
このような表示画面１４００によれば、マークが重合する場合、優先度の高いジャンルのマークを手前に配置させるようにしたので、利用者の所望するマークを優先して表示することができる。したがって、簡単且つ迅速に、地図およびマークを視認することができる。
【０１２４】
図１５は、マークが重合する場合、重合するマークのうち、優先度の低いマークを表示させないようにした場合の表示画面１５００を示す説明図である。図１５において、表示画面１５００には、地図画面１５１０と、付帯画面１５２０とが表示されている。地図画面１５１０は、図１２に示した地図画面１２１０に比べて、縮尺が小さくなっている。また、地図画面１５１０に表示されるマークは、図１２に示した地図画面１２１０に表示されるマークと同等の大きさである。つまり、マークは、最小の大きさであることを示している。
【０１２５】
符号１５１１および符号１５１２に示すマークは、重合したことにより、最も優先度の高いマークのみが表示されている。この表示画面１５００において、選択ボタン１５２１のうち、「詳細」が選択されると、図１２に示した表示画面１２００に移行する。一方、選択ボタン１５２１のうち、「広域」が選択されると、さらに広域な画面に移行する。なお、さらに広域な画面において、マークが重合する場合には、上述したように、重合するマークのうち、優先度の高いマークのみを表示すればよい。
【０１２６】
このような表示画面１５００によれば、マークが重合する場合、設定される優先度のうち、優先度の低いジャンルのマークを表示させないようにしたので、利用者の所望するマークのみを表示することができる。したがって、利用者は、簡単且つ迅速に、地図およびマークを視認することができる。
【０１２７】
図１６は、マークの大きさを変更した場合の表示画面１６００を示す説明図である。図１６において、表示画面１６００には、地図画面１６１０と、付帯画面１６２０とが表示されている。地図画面１６１０は、図１０に示した地図画面１０１０に比べて、縮尺が大きくなっている。また、地図画面１６１０に表示されるマークは、図１０に示した地図画面１０１０に表示されるマークに比べて大きくなっている。この表示画面１６００において、選択ボタン１６２１の「広域」が選択されると、図１０に示した表示画面１０００に移行する。
【０１２８】
このような表示画面１６００によれば、縮尺に応じて、マークの大きさを変えるようにし、つまり、大縮尺の場合にマークを大きくするようにしたので、地図画面とのバランスのとれた大きさのマークを表示することができる。したがって、利用者にとって見易い画面を表示することができる。これにより、利用者は、簡単且つ迅速に、地図およびマークを視認することができる。
【０１２９】
なお、図１６においては、マークを大きくさせた場合を示しているが、たとえば、図１０に示したマークの大きさより大きくならないように設定しておくことも可能である。また、マークの大きさは、地物等が隠れない程度の大きさであればよい。また、図１６に示すように、縮尺が所定値以上の場合には、マークを表示させずに、実際の施設名等を表示させることも勿論可能である。
【０１３０】
上述したように、本実施例にかかるナビゲーション装置３００は、縮尺に応じて、施設を示すマークの表示形式を異ならせるようにしたので、縮尺に対応したマークを表示させることができる。したがって、マークを有効に活用できるとともに、地図画面に対して見易いマークを表示させることができる。これにより、利用者は、簡単且つ迅速に、地図およびマークを視認することができる。
【０１３１】
以上説明したように、本発明の表示装置、表示制御方法、表示制御プログラム、および記録媒体によれば、マークを有効に活用できるとともに、地図画面に対して見易いマークを表示させることができる。
【０１３２】
なお、本実施例で説明した表示制御方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【符号の説明】
【０１３３】
１００  表示装置
１０１  検出部
１０２  制御部
１０３  表示部
１０４  マーク設定部
１０５  優先度設定部
３００  ナビゲーション装置
【図１】
2012141642.tif 000003
【図２】
2012141642.tif 000004
【図３】
2012141642.tif 000005
【図４】
2012141642.tif 000006
【図５】
2012141642.tif 000007
【図６】
2012141642.tif 000008
【図７】
2012141642.tif 000009
【図８】
2012141642.tif 000010
【図９】
2012141642.tif 000011
【図１０】
2012141642.tif 000012
【図１１】
2012141642.tif 000013
【図１２】
2012141642.tif 000014
【図１３】
2012141642.tif 000015
【図１４】
2012141642.tif 000016
【図１５】
2012141642.tif 000017
【図１６】
2012141642.tif 000018